(57)【要約】【課題】番組説明を表示させるための操作を不要とし、選局動作の操作性を向上させる。【解決手段】番組説明表示部１３が中央部に表示され、上側に操作ガイド表示部１２が表示される。操作ガイド表示部１２の上側に番組名表示部１１ａが表示され、番組説明表示部１３の下側に番組名表示部１１ｂが表示される。番組名表示部１１ａ，１１ｂは、放送局のロゴ１４、チャンネル番号１５、番組タイトル１６が順に表示された帯状のエリアである。操作ガイド表示部１２は、移動キーによる操作を示すための表示部である。番組説明表示部１３は、カーソルが位置している番組についての説明表示部である。上キーまたは下キーを押し下げることによって、選局動作がなされる。上キーを押すと、カーソルの位置が固定したまま、上側の番組が全体として下降する。そして、決定キーを押し下げると、その番組の選択が決定する。【選択図】　図４
2004048538.tif 000002
【特許請求の範囲】
【請求項１】
受信した放送信号中の電子番組ガイド情報を利用して画面上に番組を表示する番組表示方法において、
番組タイトルの少なくとも一部とチャンネル番号とが帯状エリアに表示され、受信可能な複数の番組のそれぞれの上記帯状エリアが上下または左右方向にチャンネル番号の順に並べられた番組名表示部と、
選択した番組の上記帯状エリアと接して配置され、上記選択した番組の説明情報を表示する番組説明表示部とからなり、
番組を切り替える時には、上記帯状エリアが上下または左右方向に移動し、画面上の所定位置に上記帯状エリアが位置する時に、上記番組説明表示部が表示される番組表示方法。
【請求項２】
請求項１において、
上記受信可能な複数の番組は、現在受信可能な複数の番組である番組表示方法。
【請求項３】
請求項１において、
上記受信可能な複数の番組は、現在受信可能な複数の番組と、次に受信可能な複数の番組との内で選択された一方である番組表示方法。
【請求項４】
請求項１において、
上記所定位置に位置する上記帯状エリアは、他の上記帯状エリアと区別できる表示態様とされる番組表示方法。
【請求項５】
放送信号を受信し、受信した放送信号中の電子番組ガイド情報を利用して画面上に番組表を表示する受信装置において、
上記番組表は、
番組タイトルの少なくとも一部とチャンネル番号とが帯状エリアに表示され、受信可能な複数の番組のそれぞれの上記帯状エリアが上下または左右方向にチャンネル番号の順に並べられた番組名表示部と、
選択した番組の上記帯状エリアと接して配置され、上記選択した番組の説明情報を表示する番組説明表示部とからなり、
番組を切り替える時には、上記帯状エリアが上下または左右方向に移動し、画面上の所定位置に上記帯状エリアが位置する時に、上記番組説明表示部が表示される受信装置。
【請求項６】
請求項５において、
上記受信可能な複数の番組は、現在受信可能な複数の番組である受信装置。
【請求項７】
請求項５において、
上記受信可能な複数の番組は、現在受信可能な複数の番組と、次に受信可能な複数の番組との内で選択された一方である受信装置。
【請求項８】
請求項５において、
上記所定位置に位置する上記帯状エリアは、他の上記帯状エリアと区別できる表示態様とされる受信装置。
【発明の詳細な説明】
【０００１】
【発明の属する技術分野】
この発明は、ディジタル放送に適用可能な番組表示方法および受信装置に関する。
【０００２】
【従来の技術】
近年、放送衛星（ＢＳ）、通信衛星（ＣＳ）等の人工衛星を介してテレビジョン放送信号（放送波）をディジタル化して伝送し、各家庭において、これを受信するディジタル放送システムが運用されている。ディジタル放送システムでは、多数のチャンネルを確保することが可能であるため、極めて多くの種類の番組を放送することが可能である
【０００３】
ディジタル放送システムでは、各放送局から提供される電子番組ガイド情報（ＥＰＧ：Ｅｌｅｃｔｏｒｉｃａｌ　Ｐｒｏｇｒａｍ　Ｇｕｉｄｅ）と呼ばれる番組表データを、特定の放送局から定期的に配信することが提案されている。番組表データを受信した家庭では、モニタ装置において、番組表を表示することができ、番組表で所望の番組を選択し、選択した番組を視聴したり、視聴を予約したりできる。
【０００４】
電子番組ガイド情報において、視聴者が取得できる情報は、番組タイトル、放送日時、放送チャンネル、番組の説明等である。ユーザは、ディスプレイ上でＧＵＩ（Ｇｒａｐｈｉｃａｌ　Ｕｓｅｒ　Ｉｎｔｅｒｆａｃｅ）を用いて、表示されている番組表にしたがって、所望の番組を迅速且つ的確に把握でき、所望の番組を選択できる。選局を行う場合、番組に関する比較的詳細な説明である、番組説明を参照される。
【０００５】
【発明が解決しようとする課題】
従来の電子番組ガイド情報表示装置においては、各番組の番組説明を表示させる時に、番組説明表示部に遷移するために、所定のボタンの押し下げ、またはＧＵＩ上での選択操作を必要としていた。同様に、番組説明表示を終了させる時には、番組説明を非表示とするための作業を必要とした。これらの作業を必要とするために、ユーザが所望の番組を選択するための所要時間が長くなる問題があった。
【０００６】
したがって、この発明の目的は、ユーザが所望の番組を電子番組ガイドから選択する際に、簡単な操作で且つ迅速に番組説明を確認することができる番組表示方法および受信装置を提供することにある。
【０００７】
【課題を解決するための手段】
上述した課題を解決するために、請求項１の発明は、受信した放送信号中の電子番組ガイド情報を利用して画面上に番組を表示する番組表示方法において、
番組タイトルの少なくとも一部とチャンネル番号とが帯状エリアに表示され、受信可能な複数の番組のそれぞれの帯状エリアが上下または左右方向にチャンネル番号の順に並べられた番組名表示部と、
選択した番組の帯状エリアと接して配置され、選択した番組の説明情報を表示する番組説明表示部とからなり、
番組を切り替える時には、帯状エリアが上下または左右方向に移動し、画面上の所定位置に帯状エリアが位置する時に、番組説明表示部が表示される番組表示方法である。
【０００８】
請求項５の発明は、放送信号を受信し、受信した放送信号中の電子番組ガイド情報を利用して画面上に番組表を表示する受信装置において、
番組表は、
番組タイトルの少なくとも一部とチャンネル番号とが帯状エリアに表示され、受信可能な複数の番組のそれぞれの帯状エリアが上下または左右方向にチャンネル番号の順に並べられた番組名表示部と、
選択した番組の帯状エリアと接して配置され、選択した番組の説明情報を表示する番組説明表示部とからなり、
番組を切り替える時には、帯状エリアが上下または左右方向に移動し、画面上の所定位置に帯状エリアが位置する時に、番組説明表示部が表示される受信装置である。
【０００９】
この発明では、選択された番組の番組名表示部に接して番組説明表示部が設けられているので、番組説明を表示させるために、別のボタンを操作すること、ＧＵＩを操作することを不要とでき、操作性を向上することができる。
【００１０】
【発明の実施の形態】
以下、この発明の一実施形態について説明する。図１は、この発明による番組表示装置が適用されるディジタル放送受信システムの一例を示し、図２は、受信装置の部分を抽出して示すものである。受信装置は、概略的にパラボラアンテナ１、ＩＲＤ（Ｉｎｔｅｇｒａｔｅｄ　Ｒｅｃｅｉｖｅｒ／Ｄｅｃｏｄｅｒ）　２および表示手段としてのモニタ装置４を有し、ＩＲＤ２がリモートコントロール装置のコマンダ３からのリモートコントロール信号で制御可能とされている。ＩＲＤ２とモニタ装置４とがライン６によって電気的に接続されている。なお、モニタ装置４は、例えば陰極線管（ＣＲＴ）からなる表示装置である。但し、陰極線管に限らず、液晶表示装置、プラズマディスプレイ等の表示装置を使用して構成しても良い。さらに、ＩＲＤ２とモニタ装置４とを一体構成としても良い。
【００１１】
パラボラアンテナ１は、コンテンツ供給源（例えば放送事業者、受託放送事業者）５のパラボラアンテナ５Ａから伝送された放送波が衛星５Ｂのトランスポンダ５Ｃを介して受信できるようにされている。パラボラアンテナ１で受信された受信信号がＩＲＤ２に供給される。
【００１２】
ＩＲＤ２は、その詳細な説明を省略するが、チューナ、ＱＰＳＫ（ＱｕａｄｒａｔｕｒｅＰｈａｓｅ　Ｓｈｉｆｔ　Ｋｅｙｉｎｇ）　復調部、ビタビ復号器、デインターリーバ、デスクランブラ、デマルチプレクサ、映像デコーダ、音声デコーダ、ＩＣカードスロット、リモートコントロール信号の受信復号部、システムコントローラ等を有している。システムコントローラは、マイクロコンピュータで構成されている。受信した放送信号中の電子番組ガイド情報がシステムコントローラに供給され、システムコントローラによって番組表がモニタ装置４の画面４Ａ上に表示される。
【００１３】
コマンダ３は、ＩＲＤ２に対するユーザの操作入力部としての役割を果たしている。例えば赤外線のリモートコントロール信号によって、各種の指令を与えることが可能とされている。ユーザがコマンダ３において、キー群の任意のキー押し下げることによって、そのキーの機能に対応するリモートコントロール信号がコマンダ３の発信部から送出され、ＩＲＤ２の受信部２Ａで受信される。
【００１４】
図３に示すように、コマンダ３が各種の機能キーを有している。すなわち、主電源キー３Ａ、テレビ電源キー３Ｂ、消音キー３Ｃ、チャンネル選択キー３Ｄ、入力切換えキー３Ｅ、ＢＳ１０キー入力キー３Ｆ、コンポーネントキー３Ｇ、チャンネル選択部３Ｈ、ジャンプキー３Ｉ、メニューキー３Ｊ、予約一覧キー３Ｋ、番組説明キー３Ｌ、画面表示キー３Ｍ、現在ＥＰＧキー３Ｎ、映像切換えキー３Ｏ、音声切換えキー３Ｐ、ラジオ／データキー３Ｑ、ｉ．ＬＩＮＫ録画キー３Ｒ、ｉ．ＬＩＮＫ再生キー３Ｓ、ＭＹプラスキー３Ｔ，戻るキー３Ｕ、番組表キー３Ｖ、連動データキー３Ｗ、決定（上下左右）キー３Ｘ，テレビ音量キー３Ｙ、チャンネルキー３Ｚ等を有している。この発明の一実施形態では、番組説明キー３Ｌを押さないでも、後述するように、選局された番組に関して、番組名表示部に接した番組説明表示部に番組説明を表示するようになされる。したがって、番組説明キー３Ｌを省略しても良い。さらに、回転操作のダイアルと、ダイアルを押すことで決定を入力する構成のコマンダを使用しても良い。
【００１５】
図４は、モニタ装置４の画面４Ａ上に表示される現在番組表（現在番組ガイドとも称される）の一例を示す。画面４Ａのサイズにもよるが、ある程度離れた位置から表示文字を充分読める程度に番組表が画面全体にわたって表示される。一実施形態では、現在番組表として、現在番組表（いま）と、現在番組表（つぎ）とがある。現在番組表（いま）は、現在、受信可能な番組を表示するものである。現在番組表（いま）は、現在受信可能な番組の中で実際に受信している番組にスーパーインポーズされて表示される。一実施形態では、半透明状態で現在番組表（いま）が半透明に形成され、受信している番組に対してスーパーインポーズされ、現在番組表（いま）を通じて視聴者がある程度見えるようにされている。現在番組表（いま）は、現在放送中の番組名と放送時間などを提示する機能を有し、ユーザは、現在番組表の一覧から所望の番組を選局することができる。
【００１６】
現在番組表（つぎ）は、現在番組表（いま）に表示されている各番組の次に放送予定の番組を表示するものである。単に、現在番組表と言う場合では、現在番組表（いま）と現在番組表（つぎ）の両方を指している。
【００１７】
現在番組表は、機能的には、３個の部分に区分けされている。すなわち、番組名表示部１１ａ、１１ｂと、操作ガイド表示部１２と、番組説明表示部１３とに分けられている。番組説明表示部１３が画面４Ａの中央部に表示され、その上側に操作ガイド表示部１２が表示される。操作ガイド表示部１２の上側に４チャンネル分の番組名表示部１１ａが表示される。番組説明表示部１３の下側に３チャンネル分の番組名表示部１１ｂが表示される。したがって、番組名表示部１１ａ、１１ｂに一度に表示できるチャンネル数は、７チャンネルである。実際には、より多くのチャンネルの番組を受信できるが、表示エリアの制約から７チャンネル分を表示している。
【００１８】
番組名表示部１１ａおよび１１ｂは、放送局のロゴ１４、チャンネル番号１５および番組タイトル１６が順に表示された水平の帯状のエリアである。番組タイトル１６は、タイトルの全てではなく、少なくとも一部であっても良い。また、帯状のエリアは、チャンネル番号の順番例えば画面の下へ向かう方向にチャンネル番号が増大する順序で配列されている。図４の例では、最大のチャンネル番号が「１７０」の例であるので、チャンネル１７０に関するエリアの下に最小のチャンネル番組「１１０」のエリアが位置している。番組名表示部１１ａの中で、上から４番目の帯状エリアに表示されているチャンネル番号が「１３０」で、タイトルが「ワールドリポート」の番組が現に受信している番組である。
【００１９】
操作ガイド表示部１２は、コマンダ３に設けられた移動キー（図３の例では、決定キー３Ｘ近傍の近傍の左右キー）による操作を示すための表示部である。ガイド１７にしたがって、左キーを押すと、番組説明表示部１３内で、カーソルが移動する。ガイド１８にしたがって、番組表（いま）の状態において、右キーを押すと、現在番組表（つぎ）へ遷移する。若し、現在番組表（つぎ）の状態では、左キーによって、現在番組表（いま）に遷移し、右キーによって、番組説明表示部のカーソルが移動可能とされる。
【００２０】
番組説明表示部１３は、カーソルが位置している番組についての詳細説明表示部である。カーソルとしては、矢印等のマークに限定されるものではなく、カーソルが位置している帯状エリアを他の帯状エリアと異なる色で表示したり、表示をブリンクさせる等の種々の方法を使用できる。番組説明表示部１３は、番組詳細説明１９と、サービスタイプ２１と、映像情報２２と、音声情報２３と、ジャンル２４と、コピーコントロール２５等が表示される。
【００２１】
操作ガイド表示部１２のガイド１７にしたがって左キーを押し下げることによって、番組説明表示部１３の「選局」ボタン３１上にあるカーソルが番組説明表示部１３内で移動し、「次へ」ボタン３２を選択することができる。さらに、左キーを押し下げることによって、「前へ」ボタン３３、「予約一覧」ボタン３４および「予約」ボタン３５を選択することができる。
【００２２】
図４は、現在番組表（いま）を示しており、カーソルが位置している帯状エリア例えば１３０チャンネル（以下、適宜チャンネルをｃｈと略記する）を受信している例を示している。図４の状態で、決定キー３Ｘ近傍の上キーまたは下キーを押し下げることによって、チャンネル切換え動作がなされる。
【００２３】
上キーを押すと、図５に示すように、カーソルの位置が固定したまま、上側の番組が全体として下降する。すなわち、カーソルの位置は、上から第４番目の帯状エリアの位置に固定とされ、第４番目の帯状エリアの位置の番組が選択される候補となる。そして、決定キー３Ｘを押し下げると、その番組の選択が決定する。例えば上キーを押した場合、上から順に（１７０ｃｈ，１１０ｃｈ，１２０ｃｈ，１３０ｃｈ（現在受信番組），１４０ｃｈ，１５０ｃｈ，１６０ｃｈ）が表示されている図４の状態から、（１６９ｃｈ，１７０ｃｈ，１１０ｃｈ，１２０ｃｈ（現在受信番組），１３０ｃｈ，１４０ｃｈ，１５０ｃｈ）が表示されている図５の状態へ変化する。このように、１３０ｃｈの上側の１２０ｃｈの番組を選択候補とすることができる。
【００２４】
上キーを押し下げるのと同様に、決定キー３Ｘ近傍の下キーを押し下げることによって、下側の番組を選択することが可能となる。すなわち、、カーソルの位置が第４番目の帯状エリアから変化せず、帯状エリアの全体が上へシフトする。このように、カーソルが移動しないで、チャンネル番号、番組名が表示された帯状エリアが全体的にシフトすることによって、注目する番組名が常に画面の略中央に位置する。したがって、ユーザにとっては、番組に関する情報が見易い表示となる。
【００２５】
図６は、図４の現在番組表（いま）を表示している状態において、左キーを押し下げることによって、番組説明表示部１３の「選局」ボタン３１上にあるカーソルが番組説明表示部１３内で移動し、「次へ」ボタン３２を選択することができ、さらに、「前へ」ボタン３３、「予約一覧」ボタン３４および「予約」ボタン３５を選択することができることを示している。
【００２６】
図７を参照すると、操作ガイド表示部１２のガイド１８にしたがって右キーを押し下げることによって、つまり、カーソルが「選局」ボタン３１上にある時に右キーを押し下げると、現在番組表（いま）が現在番組表（つぎ）へと遷移し、次に放送予定の番組表が表示される。表示された現在番組表（つぎ）において、番組名表示部１３でのカーソルの位置は、現在番組表（いま）において右キーを押し下げた時点でのチャンネル（例えば１２０ｃｈ）の帯状エリア上にある。
【００２７】
現在番組表（いま）から現在番組表（つぎ）へと遷移した時、番組説明表示部１３の初期カーソル位置は、「予約」ボタン３５上にある。操作ガイド表示部１２のガイド１８にしたがって右キーを押し下げると、番組説明表示部１３の「予約」ボタン３５上にあるカーソルが番組説明表示部１３内で移動し、「予約一覧」ボタン３４、「前へ」ボタン３３、「次へ」ボタン３２を順に選択することができる。
【００２８】
カーソル位置が「予約」ボタン３５上にある時に、操作ガイド表示部１２のガイド１７にしたがって左キーを押し下げると、現在番組表（つぎ）から現在番組表（いま）へと現在番組表が遷移し、現在放送中の番組表を表示する。その際、番組名表示部１１ａ、１１ｂでのカーソルの位置は、現在番組表（つぎ）において左キーを押し下げた時点でのチャンネルの番組名上にある。
【００２９】
図８および図９のフローチャートを参照して、現在番組表（いま）から現在番組表（つぎ）へと遷移する一例について説明する。これらのフローチャートに示されている処理の流れは、リモートコントロールのコマンダ３からの操作信号を受け取るＩＲＤ２のシステムコントローラによってなされる。
【００３０】
図８において、最初のステップＳＴ１では、「現在番組表」キー例えば図３に示すコマンダ３の「番組表」キー３Ｖが押されたかどうかが判定される。「現在番組表」キーが押されると、ステップＳＴ２において、図４に示すように、現在番組表（いま）が表示される。このとき、番組名表示欄１１ａ，１１ｂ、操作ガイド表示部１２および番組説明表示部１３は、半透明であり、視聴中の番組の映像が透けて見える。また、番組名表示欄でのカーソル位置は、視聴中の番組上にあり、番組説明表示部でのカーソル位置は、「選局」ボタン３１上にある。
【００３１】
次に、ステップＳＴ３において、キー入力の有無が判定される。キー入力が有ると、ステップＳＴ４において、右キー（図では→キーと示す）が押し下げられたか否かが判定される。右キーが押し下げられたと決定された場合、ステップＳＴ１０において、カーソルが「選局」ボタン３１上に位置しているか否かが判定される。
【００３２】
ステップＳＴ１０において、カーソルが「選局」ボタン３１上に位置していると判定されると、ステップＳＴ１４において、ステップＳＴ２２（図９参照）へ処理が移り、現在番組表（つぎ）へと画面が遷移する。ステップＳＴ２２以降の処理については、後述する。
【００３３】
ステップＳＴ１０において、カーソルが「選局」ボタン３１上に位置していないと判定されると、ステップＳＴ１１おいて、カーソルを番組説明表示部内１３で移動させる。そして、ステップＳＴ３（キー入力の有無の判定）に処理が戻る。
【００３４】
ステップＳＴ４において、入力されたキーが右キーでないと判定されると、ステップＳＴ５において、キー入力が左キー（図では←キーと示す）か否かが判定される。左キーであると判定されると、ステップＳＴ１１おいて、カーソルを番組説明表示部内１３で移動させる。
【００３５】
キー入力があり、そのキーが右キーおよび左キーでない場合では、ステップＳＴ６において「現在番組表」キーの入力か否かが判定される。「現在番組表」キーの入力であると決定されると、現在番組表を画面から消去し（ステップＳＴ１６）、ステップＳＴ１に戻り、現在番組表を終了する。
【００３６】
ステップＳＴ６において、「現在番組表」キーの入力でないと判定されると、ステップＳＴ７において、決定キー（図３中の決定キー３Ｘ）であるか否かが判定される。決定キーである場合には、ステップＳＴ１２において、カーソルが「選局」ボタン３１上に位置しているか否かが判定される。
【００３７】
ステップＳＴ１２において、カーソルが「選局」ボタン３１上に位置していると判定されると、ステップＳＴ１５において、カーソルが位置している番組を選局し、ステップＳＴ１６において、現在番組表を消去し、現在番組表の表示を終了する。そして、ステップＳＴ１に処理が戻る。前述したように、選局のためのカーソルの位置が固定とされ、その位置に帯状エリアが位置する番組が選択される。
【００３８】
ステップＳＴ１２において、カーソルが「選局」ボタン３１上に位置していないと判定されると、ステップＳＴ１３において、カーソルの当たっているコマンドを実行する。そして、ステップＳＴ３（キー入力を待つ状態）に処理が戻る。
【００３９】
ステップＳＴ７において、キー入力が決定キーでないと判定されると、ステップＳＴ８において、キー入力が上下キー（上キーまたは下キー）であるか否かが判定される。上下キーでなければ、処理がステップＳＴ３（キー入力を待つ状態）に戻る。ステップＳＴ８において、入力されたキーが上下キーであると判定されると、番組説明表示部１３のカーソルを「選局」ボタンの位置に戻し、番組名表示欄１１ａ，１１ｂのカーソルを上下させる。そして、ステップＳＴ３（キー入力を待つ状態）に戻る。上述したように、番組名表示欄１１ａ，１１ｂは、全体として移動する。
【００４０】
図８中のステップＳＴ２２以降の処理について、図９を参照して説明する。ステップＳＴ２２において、図７にその一例を示すように、放送予定の現在番組表（つぎ）が表示される。このとき、番組名表示欄１１ａ，１１ｂは、不透明であり、また、番組名表示欄１１ａ，１１ｂでのカーソル位置は、視聴中のチャンネルの次の番組上であり、番組説明表示部１３でのカーソル位置は、「予約」ボタン３５上である。
【００４１】
次に、ステップＳＴ２３において、キー入力の有無が判定される。キー入力が有ると、ステップＳＴ２４において、左キー（決定キー３Ｘの周囲に位置する左キー）が押し下げられたか否かが判定される。左キーが押し下げられた場合、ステップＳＴ３０において、カーソルが「予約」ボタン３５上に位置しているか否かが判定される。
【００４２】
ステップＳＴ３０において、カーソルが「予約」ボタン３５上に位置していると判定されると、ステップＳＴ３４において、ステップＳＴ２（図８参照）へ処理が移り、現在番組表（いま）へと画面が遷移する。ステップＳＴ３０において、カーソルが「予約」ボタン３５上に位置していないと判定されると、ステップＳＴ３１おいて、カーソルが番組説明表示部内１３で移動される。そして、ステップＳＴ２３（キー入力を待つ処理）に処理が戻る。
【００４３】
ステップＳＴ２４において、入力されたキーが左キーでないと判定されると、ステップＳＴ２５において、キー入力が右キーか否かが判定される。右キーであると判定されると、ステップＳＴ３１おいて、カーソルが番組説明表示部内１３で移動される。
【００４４】
キー入力があり、そのキーが左右キーでない場合では、ステップＳＴ２６において「現在番組表」キーの入力か否かが判定される。「現在番組表」キー入力であると判定されると、現在番組表（つぎ）を画面から消去し（ステップＳＴ３６）、ステップＳＴ１に戻り、現在番組表の表示を終了する。
【００４５】
ステップＳＴ２６において、「現在番組表」キーの入力でないと判定されると、ステップＳＴ２７において、キー入力が決定キー（図３中の決定キー３Ｘ）であるか否かが判定される。決定キーである場合には、ステップＳＴ３３において、カーソルの当たっているコマンドを実行する。そして、ステップＳＴ２３に処理が戻る。
【００４６】
ステップＳＴ２７において、キー入力が決定キーでないと判定されると、ステップＳＴ２８において、上下キーか否かが判定される。上下キーでなければ、処理がステップＳＴ２３（キー入力を待つ状態）に戻る。ステップＳＴ２８において、入力されたキーが上下キーであると判定されると、番組説明表示部１３のカーソルを「選局」ボタン３１の位置に戻し、番組名表示欄１１ａ，１１ｂのカーソルを上下させる。そして、ステップＳＴ２３（キー入力を待つ状態）に戻る。
【００４７】
この発明は、上述したこの発明の一実施形態に限定されるものでは無く、この発明の要旨を逸脱しない範囲内で様々な変形や応用が可能である。例えば上述した実施形態では、上下方向に番組名表示部が全体として移動するようにしているが、左右方向に番組名表示部を全体として移動させても良い。
【００４８】
また、この発明において用いられる放送波は、衛星放送、地上波放送、ケーブルテレビ放送波の何れであっても良い。但し、現在、放送が開始されているある種のディジタル衛星放送の場合は、現在の番組と次の番組のデータが各トランスポンダを介して送信されている（Ｐｒｅｓｅｎｔ　Ｆｏｌｌｏｗｉｎｇ　ＥＩＴ）。この情報を使用することによって、現在の番組と次の番組に関する番組表は、どこのチャンネルを受信している状態でも素早く更新される。したがって、操作速度が速く、ユーザの操作に対する応答が良好とできる。一方、この発明において、番組表と同時に表示させる番組説明データは、トランスポンダの切換えを必要とする場合があるので、予めデータを保持しているか、トランスポンダの切換えなしに取得できる番組説明データのみを表示させるようになされる。
【００４９】
【発明の効果】
以上の説明から明らかなように、この発明によれば、ユーザが現在放送中の番組を電子番組ガイドから選択する際に、カーソルを番組名表示用の帯状のエリアに合わせるのみで、その番組の番組説明を同時に確認することができる。さらに、この発明では、現在放送中の番組表から次に放送予定の番組表へ遷移し、次の放送の所望の番組の番組説明を確認することができる。したがって、この発明による電子番組ガイド表示装置を搭載したディジタル放送受信機は、極めて操作性が良いものである。
【図面の簡単な説明】
【図１】この発明を適用できるディジタル放送システムを説明するための略線図である。
【図２】この発明を適用できるディジタル放送の受信装置の部分を示す略線図である。
【図３】リモートコントロールのコマンダのボタン配列の一例の説明に用いる略線図である。
【図４】この発明の一実施形態における現在番組表の一例を示す略線図である。
【図５】図４の番組表が表示されている時に、上キーを押し下げることで表示される現在番組表を示す略線図である。
【図６】図４の番組表が表示されている時に、左キーを押し下げることで表示される現在番組表を示す略線図である。
【図７】図４の番組表が表示されている時に、右キーを押し下げることで表示される現在番組表を示す略線図である。
【図８】この発明の一実施形態の動作説明に用いるフローチャートである。
【図９】この発明の一実施形態の動作説明に用いるフローチャートである。
【符号の説明】
２・・・ＩＲＤ、３・・・コマンダ、４・・・モニタ装置、１１ａ，１１ｂ・・・番組名表示部、１２・・・操作ガイド表示部、１３・・・番組説明表示部、１５・・・チャンネル番号、１６・・・番組タイトル
【図１】
2004048538.tif 000003
【図２】
2004048538.tif 000004
【図３】
2004048538.tif 000005
【図４】
2004048538.tif 000006
【図５】
2004048538.tif 000007
【図６】
2004048538.tif 000008
【図７】
2004048538.tif 000009
【図８】
2004048538.tif 000010
【図９】
2004048538.tif 000011